(57)【要約】【課題】  複数の無線周波数（ＲＦ）のなかからＲＦを選択してＭＢＭＳデータを複数の移動局に送信するセルラシステムにおいて、ＭＢＭＳデータ受信可能地域が最大となるようにＭＢＭＳのデータ送信を行うことが可能なデータ送信方法を提供する。【解決手段】  多くのセルに配置されたＲＦを優先ＲＦとし、優先ＲＦを用いるセルのセル負荷の平均値を計算し、そのセル負荷の平均値が小さい優先ＲＦを用いてＭＢＭＳデータ送信を行う。更に、セル負荷の平均値が小さい優先ＲＦを用いるセルが存在しない地域のセルでは、それ以外のＲＦを用いてＭＢＭＳデータ送信を行う。【選択図】      図１
2008211696.tif 000002
【特許請求の範囲】
【請求項１】
第一及び第二の基地局と、これら基地局に接続された無線ネットワーク装置とを含み、前記第一の基地局は第一の地域をカバーするセルを１つまたは複数形成し、前記第二の基地局は第二の地域をカバーするセルを１つまたは複数形成し、前記第一の地域をカバーするセルの各々に互いに異なる無線周波数を配置し、前記第二の地域をカバーするセルの各々に互いに異なる無線周波数を配置し、各々のセルにおいて配置された無線周波数を用いて移動局に対してデータの送信を行うセルラシステムにおけるデータ送信方法であって、
少なくとも１つの無線周波数が優先無線周波数として定められており、
前記無線ネットワーク制御装置において、
前記優先無線周波数から１つの無線周波数を選択する選択ステップと、
この選択された無線周波数を用いるセルにおいて共通チャネルを用いて複数の移動局に同一データを送信する送信ステップと、
を含むことを特徴とするデータ送信方法。
【請求項２】
前記選択ステップは、前記優先無線周波数の各々を用いるセルの負荷に基づいて、１つの無線周波数を選択することを特徴とする請求項１に記載のデータ送信方法。
【請求項３】
前記無線周波数には選択順序が定められており、
前記選択ステップは、前記選択された無線周波数が配置されたセルによりカバーされない地域では、その地域をカバーするセルに配置された無線周波数の中から前記選択順序によって１つの無線周波数を選択し、
前記送信ステップは、前記選択した無線周波数を用いるセルにおいて共通チャネルを用いて複数の移動局に同一データを送信することを特徴とする請求項１または２に記載のデータ送信方法。
【請求項４】
前記選択順序は、各無線周波数を用いるセルの負荷に基づいて定められていることを特徴とする請求項３に記載のデータ送信方法。
【請求項５】
第一及び第二の基地局と、これら基地局に接続された無線ネットワーク装置とを含み、前記第一の基地局は第一の地域をカバーするセルを１つまたは複数形成し、前記第二の基地局は第二の地域をカバーするセルを１つまたは複数形成し、前記第一の地域をカバーするセルの各々に互いに異なる無線周波数を配置し、前記第二の地域をカバーするセルの各々に互いに異なる無線周波数を配置し、各々のセルにおいて配置された無線周波数を用いて移動局に対してデータの送信を行うセルラシステムであって、
少なくとも１つの無線周波数が優先無線周波数として定められており、
前記無線ネットワーク制御装置は、
前記優先無線周波数から１つの無線周波数を選択する選択手段と、
この選択された無線周波数を用いるセルにおいて共通チャネルを用いて複数の移動局に同一データを送信する送信手段と、
を含むことを特徴とするセルラシステム。
【請求項６】
前記選択手段は、前記優先無線周波数の各々を用いるセルの負荷に基づいて、１つの無線周波数を選択することを特徴とする請求項５に記載のセルラシステム。
【請求項７】
前記無線周波数には選択順序が定められており、
前記選択手段は、前記選択された無線周波数が配置されたセルによりカバーされない地域では、その地域をカバーするセルに配置された無線周波数の中から前記選択順序によって１つの無線周波数を選択し、
前記送信手段は、前記選択した無線周波数を用いるセルにおいて共通チャネルを用いて複数の移動局に同一データを送信することを特徴とする請求項５または６に記載のセルラシステム。
【請求項８】
前記選択順序は、各無線周波数を用いるセルの負荷に基づいて定められていることを特徴とする請求項７に記載のセルラシステム。
【請求項９】
第一及び第二の基地局と、これら基地局に接続された無線ネットワーク装置とを含み、前記第一の基地局は第一の地域をカバーするセルを１つまたは複数形成し、前記第二の基地局は第二の地域をカバーするセルを１つまたは複数形成し、前記第一の地域をカバーするセルの各々に互いに異なる無線周波数を配置し、前記第二の地域をカバーするセルの各々に互いに異なる無線周波数を配置し、各々のセルにおいて配置された無線周波数を用いて移動局に対してデータの送信を行うセルラシステムにおけるデータ送信方法をコンピュータに実行させるためのプログラムであって、
少なくとも１つの無線周波数が優先無線周波数として定められており、
前記優先無線周波数から１つの無線周波数を選択する処理と、
この選択された無線周波数を用いるセルにおいて共通チャネルを用いて複数の移動局に同一データを送信する処理と、
を含むことを特徴とするプログラム。
【発明の詳細な説明】
【技術分野】
【０００１】
本発明はデータ送信方法及びそれを用いたセルラシステムに関し、特にＭＢＭＳ（Multimedia Broadcast Multicast Service）のデータ送信方式に関するものである。
【背景技術】
【０００２】
セルラシステムにおいて、複数の移動局に対して同一のデータを送信するサービスが検討されており、その１つとして、ＷＣＤＭＡ方式におけるＭＢＭＳがある。ＭＢＭＳの参考文献としては、非特許文献１がある。
【０００３】
ＷＣＤＭＡ方式のセルラシステムにおいては、基地局は、１つまたは複数のセルを形成し、各々のセル内の移動局との通信を行う。セルの各々においては、１つの無線周波数（Radio Frequency 、以下ＲＦと略す）が配置されており、同一地域範囲のセルは、１つまたは複数存在し、同一地域範囲のセルが複数存在する場合には、その複数のセル相互では異なるＲＦが配置される。この構成例を図８に示す。
【０００４】
図８において、基地局としてＢＳ１〜ＢＳ１２が存在しており、各基地局はセル１１〜１２４を形成している。また、各セルに配置されているＲＦ（ＲＦ１〜ＲＦ４）を図の左側に示している。更に、セルを示す楕円形の大きさは、各セルがカバーする地域の広さに対応しており、斜線で示すセルは、ＭＢＭＳ送信用のセルの例を示している。
【０００５】
ＭＢＭＳでは、共通チャネルを用いてデータ送信を行う場合と、複数の移動局の各々に対して個別チャネルを設定してデータ送信を行う場合とがある。共通チャネルを用いる場合には、同一地域範囲に複数のセルが存在する場合には、その中から選んだ１つのセルにおいて、共通チャネルＳＣＣＰＣＨ（Secondary Common Control Physical Channel ）を設定して、この設定されたＳＣＣＰＣＨを用いてデータ送信を行うようになっている。
【０００６】
また、ＭＢＭＳでは、地域毎に１つのセルを選んで、選んだセルにおいて同時に同一のデータ送信を行う。このとき、移動局は、複数のセルから送信されるデータを受信してダイバーシチ合成することにより、受信品質を改善させる“Selective Combining ”や“Soft Combining”という技術が用いられる。移動局がこのような“Combining （合成）”を容易に行えるようにするため、データ送信を行うために用いるセルは、同一のＲＦを用いるセルとなるようにする。従って、ＲＦを選択すると、データ送信を行うセルが決まることになる。基地局には、ＲＮＣ（Radio Network Controller：無線ネットワーク制御装置）が接続されており、上述したＲＦの選択は、このＲＮＣが行う。
【０００７】
ＷＣＤＭＡのようなセルラシステムでは、１つのセルにおいて、ＭＢＭＳの他に、音声通信サービスやユーザ個別のパケット通信サービスを、個別チャネルＤＰＣＨ（Dedicated Physical Channel）を用いて提供している。ＲＮＣは、各セルにおいて提供している音声通信サービスやパケット通信サービスのトラヒック量に応じて、各セルの負荷であるセル負荷を計算し、そのセル負荷が所定のしきい値以下のときに、ＭＢＭＳデータの送信を行う受付制御を行っている。また、図８に示すようにＲＦによってカバーする地域の割合が異なる。従って、ＲＦの選択によってＭＢＭＳサービスが提供できるＭＢＭＳデータ受信可能地域の割合が変わることになる。
【０００８】
なお、関連する技術として、特許文献１が挙げられる。
【特許文献１】特表２００６−５１２８１６号公報
【非特許文献１】3GPP TS25.346 V.6.8.0(2006-06), 3rd Generation Partnership Project; Technical Specification Group Radio Access Network; Introduction of the Multimedia Broadcast Multicast Service (MBMS) in the Radio Access Network (RAN); Stage 2 (Release 6)
【発明の開示】
【発明が解決しようとする課題】
【０００９】
ＲＦの選択方法として、ＲＦ毎にセルの負荷の平均値を計算し、その平均値が最小のＲＦを選択する方法がある。この方法では、図８のように、ＲＦ１やＲＦ２に比べてＲＦ４によってカバーする地域の割合が小さい場合でも、ＲＦ４のセルの負荷の平均値が最小であれば、ＲＦ４を選択してＭＢＭＳのデータ送信を行ってしまうため、ＭＢＭＳデータ受信可能地域が小さくなる可能性が大きいという問題がある。なお、特許文献１の技術では、本発明が対象とするＭＢＭＳ、すなわち、複数の移動局に共通チャネルを用いて同一データを送信するものではない。
【００１０】
そこで、本発明は、上記の点に鑑みてなされたものであって、その目的とするところは、上記の課題を解決し、ＭＢＭＳデータ受信可能地域が最大となるようにＭＢＭＳのデータ送信を行うことが可能なデータ送信方法及びそれを用いたセルラシステム並びにプログラムを提供することにある。
【課題を解決するための手段】
【００１１】
本発明によるデータ送信方法は、第一及び第二の基地局と、これら基地局に接続された無線ネットワーク装置とを含み、前記第一の基地局は第一の地域をカバーするセルを１つまたは複数形成し、前記第二の基地局は第二の地域をカバーするセルを１つまたは複数形成し、前記第一の地域をカバーするセルの各々に互いに異なる無線周波数を配置し、前記第二の地域をカバーするセルの各々に互いに異なる無線周波数を配置し、各々のセルにおいて配置された無線周波数を用いて移動局に対してデータの送信を行うセルラシステムにおけるデータ送信方法であって、少なくとも１つの無線周波数が優先無線周波数として定められており、前記無線ネットワーク制御装置において、前記優先無線周波数から１つの無線周波数を選択する選択ステップと、この選択された無線周波数を用いるセルにおいて共通チャネルを用いて複数の移動局に同一データを送信する送信ステップとを含むことを特徴とする。
【００１２】
本発明によるセルラシステムは、第一及び第二の基地局と、これら基地局に接続された無線ネットワーク装置とを含み、前記第一の基地局は第一の地域をカバーするセルを１つまたは複数形成し、前記第二の基地局は第二の地域をカバーするセルを１つまたは複数形成し、前記第一の地域をカバーするセルの各々に互いに異なる無線周波数を配置し、前記第二の地域をカバーするセルの各々に互いに異なる無線周波数を配置し、各々のセルにおいて配置された無線周波数を用いて移動局に対してデータの送信を行うセルラシステムであって、少なくとも１つの無線周波数が優先無線周波数として定められており、前記無線ネットワーク制御装置は、前記優先無線周波数から１つの無線周波数を選択する選択手段と、この選択された無線周波数を用いるセルにおいて共通チャネルを用いて複数の移動局に同一データを送信する送信手段とを含むことを特徴とする。
【００１３】
本発明によるプログラムは、第一及び第二の基地局と、これら基地局に接続された無線ネットワーク装置とを含み、前記第一の基地局は第一の地域をカバーするセルを１つまたは複数形成し、前記第二の基地局は第二の地域をカバーするセルを１つまたは複数形成し、前記第一の地域をカバーするセルの各々に互いに異なる無線周波数を配置し、前記第二の地域をカバーするセルの各々に互いに異なる無線周波数を配置し、各々のセルにおいて配置された無線周波数を用いて移動局に対してデータの送信を行うセルラシステムにおけるデータ送信方法をコンピュータに実行させるためのプログラムであって、少なくとも１つの無線周波数が優先無線周波数として定められており、前記優先無線周波数から１つの無線周波数を選択する処理と、この選択された無線周波数を用いるセルにおいて共通チャネルを用いて複数の移動局に同一データを送信する処理とを含むことを特徴とする。
【発明の効果】
【００１４】
本発明によれば、カバーしている地域が広い無線周波数が優先無線周波数セットに含まれるように優先無線周波数を定めておくことにより、カバーしている地域が広い無線周波数を用いてデータ送信を行うことができ、そのデータを受信できるデータ受信可能地域の割合を大きくできるという効果がある。
【００１５】
また、本発明によれば、優先無線周波数セットの中から、セル負荷に基づいてデータ送信を行う無線周波数を選択することにより、各セルにおいて、データ送信の受付制御によりデータ送信が拒否される確率が下がることによっても、データ受信可能地域の割合を大きくできるという効果がある。
【００１６】
更に、本発明によれば、上記で選択された優先無線周波数を用いるセルによってカバーされていない地域では、その他の無線周波数を用いるセルによってデータ送信を行うことによっても、データ受信可能地域の割合を大きくできる。また、この場合においても、セル負荷に基づいてデータ送信を行う無線周波数を選択することによって受付制御によるデータ送信拒否確率が下がり、さらにデータ受信可能地域の割合を大きくできるという効果がある。
【発明を実施するための最良の形態】
【００１７】
以下に、図面を参照しつつ本発明の実施例について詳細に説明する。図１は本発明の実施例が適用されるセルラシステムの基本構成図である。図１を参照すると、このセルラシステムは、基地局１〜２と、各基地局がカバーするセル３〜６と、各基地局に接続されたＲＮＣ（Radio Network Controller：無線ネットワーク制御装置）７と、移動局８〜１０とを含んで構成されている。なお、このセルラシステムは、この他に多数の基地局と移動局とを含むが、簡単化のために図示は省略する。この中で、セル３とセル４とは同一の地域をカバーしており、セル５とセル６とは、別々の地域をカバーしているものとする。
【００１８】
このセルラシステムにおいて、基地局１はセル３〜４の各々において、基地局２はセル５〜６の各々において、個別チャネルＤＰＣＨを用いて音声通信サービスやパケット通信サービスを複数の移動局に提供している。また、地域毎に１つのセルにおいてＳＣＣＰＣＨを設定して同一データ（ＭＢＭＳデータ）を複数の移動局に送信する。すなわち、セル３とセル４とは同一地域をカバーしているために、基地局１は、セル３またはセル４の一方のセルにおいて、ＭＢＭＳデータを送信し、セル５とセル６とは、各々異なる地域をカバーしているので、基地局２は、セル５とセル６との各々のセルにおいてＭＢＭＳデータを送信する。
【００１９】
図１では、移動局８，９がＳＣＣＰＣＨを受信し、移動局１０がＤＰＣＨを受信している。更に、図示はしないが、このセルラシステムでは、基地局は、各セルにおいて、共通パイロットチャネルＣＰＩＣＨを一定の電力で送信しており、移動局が通信を行なうセルの決定などに用いている。
【００２０】
このセルラシステムでは、各セルのセル負荷に基づいてＭＢＭＳデータ送信を行うＭＢＭＳ送信用セルを決定する。以下、セル負荷について説明する。
【００２１】
個別チャネルＤＰＣＨによる通信は、各移動局の通信要求によって発生し、その通信量によって基地局がＤＰＣＨのために送信する送信電力が変化する。また、ＭＢＭＳの通信は、ＭＢＭＳサービスを提供するサーバ（図示せず）からのデータ送信要求によって発生し、その通信量によって基地局がＭＢＭＳデータを送信するＳＣＣＰＣＨのために送信する送信電力が変化する。そのために、各セルにおける全チャネルの送信電力の合計値は、各セルにおける上記のＤＰＣＨの送信電力と、ＳＣＣＰＣＨの送信電力と、ＣＰＩＣＨの送信電力との合計値であり、この送信電力合計値をセル負荷とする。
【００２２】
なお、ＤＰＣＨの送信電力とＳＣＣＰＣＨの送信電力とは、如何なる方法で定めてもよいが、ここでは、１つのＤＰＣＨの送信電力は、移動局におけるＤＰＣＨの受信品質が一定になるように制御されており、ＳＣＣＰＣＨの送信電力は、データ送信速度毎に予め定められた一定値とする。また、セル負荷は、以上のような送信電力に限らず、送信中のＤＰＣＨとＳＣＣＰＣＨの数や、ＤＰＣＨの送信速度とＳＣＣＰＣＨの送信速度の合計値などによって計算してもよい。
【００２３】
このセルラシステムでは、ＭＢＭＳデータ送信要求が発生した場合に、セル毎にセル負荷に基づいて受付制御（Admission Control ）を行って、そのデータ送信の可否を決定する。このセルラシステムでは、送信電力合計値をセル負荷としているため、送信電力合計値により受付制御を行う。
【００２４】
具体的には、ＭＢＭＳデータ送信を追加した後の送信電力合計値を以下の式によって計算し、その値が所定のしきい値以下の場合にＭＢＭＳデータ送信を許可し、それ以外の場合にはＭＢＭＳデータ送信を行わない。
【００２５】
P_total ＝（Ｐ_cpich_ ＋Ｐ_sccpch ＋Ｐ_dpch ）
＊｛（Ｐ_cpich＋Ｐ_sccpch ＋ΔＰ_sccpch ）
／（Ｐ_cpich＋Ｐ_sccpch ）｝    ……（１）
【００２６】
上記（１）式において、Ｐ_totalはＭＢＭＳデータ送信追加後の送信電力合計値を、Ｐ_cpichはＣＰＩＣＨの送信電力を、Ｐ_dpch はＭＢＭＳデータ送信追加前のＤＰＣＨの送信電力を、Ｐ_sccpch はＭＢＭＳデータ送信追加前のＳＣＣＰＣＨの送信電力を、ΔＰ_sccpch はＭＢＭＳデータ送信追加によるＳＣＣＰＣＨの送信電力増加量を、それぞれ表す。
【００２７】
このような前提の元において、以下に、第１の実施例を説明する。図２は本実施例におけるＲＮＣ７の機能ブロック図であり、本発明と関連するブロックのみを示している。図２を参照すると、ＲＮＣ７は、基地局１，２との通信機能を有する通信部７０１と、ＭＢＭＳデータ送信のための受付制御を行うＭＢＭＳデータ送信受付制御部７０２と、ＭＢＭＳデータ送信用のセル設定処理を行うＭＢＭＳデータ送信用セル設定処理部７０３と、ＭＢＭＳデータ送信機能を有するＭＢＭＳデータ送信部７０４と、これら各部を制御する制御部（ＣＰＵ）７０５と、この制御部７０５の作業用ＲＡＭとして動作すると共に、制御部７０５の制御動作手順を予めプログラムとして格納したＲＯＭとして動作するメモリ７０６とを含んでいる。
【００２８】
次に、本実施例の動作を図３及び図４を参照して説明する。本実施例では、各ＲＦのセル負荷平均値に基づいてＭＢＭＳ送信用セルを選択するものである。図３は、この第１の実施例のセルラシステムにおける基地局が形成するセルの配置と、そのセルの各々に配置されているＲＦを示す図である。また、図４は、ＭＢＭＳ送信用セルの設定処理を示すフロー図である。この処理は、ＲＮＣ７のＭＢＭＳデータ送信用セル設定処理部７０３が実施する。
【００２９】
図３を参照すると、第１の実施例のセルラシステムは、基地局ＢＳ１〜ＢＳ１２が存在し、各々の基地局はセル（セル１１〜セル１２４）を形成している。また、この図は、各セルに配置されているＲＦも示しており、例えば、ＲＦ１は、セル１１、セル２１、セル３１ａ、セル３１ｂに配置されていることを示している。
【００３０】
ここで、同一のアンテナで同一地域をカバーするセルの集合を、同一アンテナセルセットとする。例えば、ＢＳ１に関しては、セル１１とセル１２が同一アンテナセルセットであり、ＢＳ３に関しては、セル３１ａとセル３２ａ、及びセルセル３１ｂ、セル３３ｂがそれぞれ同一アンテナセルセットである。また、ＢＳ５に関しては、セル５３、ＢＳ６に関しては、セル６３とセル６４が同一アンテナセルセットとなる。
【００３１】
この実施例では、ＲＦ１とＲＦ２とを優先ＲＦとして設定する。ここで、各ＲＦを用いるセルがカバーする地域の面積の合計値を計算し、その合計値が大きいＲＦを優先ＲＦとして設定することなどにより、優先ＲＦを用いるセル全体で、できるだけ広い地域をカバーしているように優先ＲＦを設定することが望ましい。また、優先ＲＦが１つだけの場合には、そのＲＦを用いるセルが輻輳している場合に、ＭＢＭＳのサービスを提供できない可能性が高くなるため、優先ＲＦは複数存在することも望ましい。
【００３２】
図４を参照すると、ＲＮＣ７は、先ず、各優先ＲＦのセル負荷の平均値を計算する（ステップＳ３１）。この実施例では、ＲＦ１は、セル１１，２１，３１ａ，３１ｂで用いられるために、これら４つのセルのセル負荷の平均値を計算する。同様に、ＲＦ２についてもセル負荷平均値を計算する。各基地局は、その配下の各セルの送信電力利用率（全チャネルの送信電力の合計値をその最大値で除算した値）を定期的に測定してＲＮＣに報告している。セル負荷としては、その送信電力利用率を用いる。
【００３３】
次に、優先ＲＦであるＲＦ１とＲＦ２とのなかから、計算されたセル負荷平均値が最小であるＲＦを、セル負荷最小優先ＲＦとして選択する（ステップＳ３２）。ここでは、ＲＦ２よりもＲＦ１の方がセル負荷平均値が小さく、ＲＦ１が選ばれるものとする。
【００３４】
そして、同一アンテナセルセットを１つ選択し（ステップＳ３３）、そのなかでセル負荷最小優先ＲＦ（ここでは、ＲＦ１）を用いるセルの有無を調べる（ステップＳ３４）。ここで、セル１１とセル１２との同一アンテナセルセットのセル１１のように、セル負荷最小優先ＲＦを用いるセルが存在する場合には、そのセル（セル１１）をＭＢＭＳ送信用セルとする（ステップＳ３５）。全ての同一アンテナセルセットを選択したか否かを判定し（ステップＳ３６）、全てを選択していない場合には、ステップＳ３３から繰り返し、全てを選択した場合には、ＭＢＭＳ送信用セルの設定処理を終了する。
【００３５】
図３には、以上の処理によってＭＢＭＳ送信用セルとして設定されたセルを、斜線を付けて示している。このようにして、ＲＮＣ７は、各々の同一アンテナセルセットについて、１つのセルをＭＢＭＳ送信用セルに設定し、ＭＢＭＳ送信用セルにおいて、共通チャネルＳＣＣＰＣＨを用いて複数の移動局に対してＭＢＭＳデータを送信する。
【００３６】
この実施例では、より広い地域でＭＢＭＳのサービスを提供できるという効果がある。なお、ＲＦ３とＲＦ４とを用いる多くの小さなセルでは、ＭＢＭＳデータの送信を行わないが、ＲＦ３とＲＦ４とを用いる小さなセルにおいて、ＲＦ１とＲＦ２とを用いる大きなセルで送信されるＭＢＭＳデータを受信できる場合には、小さなセルではＭＢＭＳデータを送信しない方が、無線リソースを浪費せず望ましい。
【００３７】
次に、本発明による第２の実施例を、図５と図６とを用いて説明する。なお、この第２の実施例におけるＲＮＣ７の機能ブロックは図２のそれと同等である。本実施例においても、各ＲＦのセル負荷平均値に基づいてＭＢＭＳ送信用セルを選択するが、更に優先ＲＦが存在しないセルもＭＢＭＳ送信用セルとして選択する。
【００３８】
図５は第２の実施例のセルラシステムにおける基地局が形成するセルの配置と、そのセルの各々に配置されているＲＦを示す図である。また、図６は、ＭＢＭＳ送信用セルの設定処理を示すフロー図である。この処理は、ＲＮＣ７のＭＢＭＳデータ送信用セル設定処理部７０３が実施することは勿論である。
【００３９】
図５を参照すると、第２の実施例のセルラシステムは、第１の実施例と同様に基地局、セル、ＲＦが存在し、同一アンテナセットも同様に定められる。また、第１の実施例と同様に、ＲＦ１とＲＦ２とを優先ＲＦとして設定する。
【００４０】
図６を参照すると、ＲＮＣ７は、先ず、各ＲＦのセル負荷の平均値を計算する（ステップＳ５１）。このステップの処理は図３のステップＳ３１と同様である。次に、優先ＲＦであるＲＦ１とＲＦ２とのなかから、計算されたセル負荷平均値が最小であるＲＦを、セル負荷最小優先ＲＦとして選択する（ステップＳ５２）。ここでは、ＲＦ２よりもＲＦ１の方がセル負荷平均値が小さく、ＲＦ１が選ばれるものとする。更に、優先ＲＦ以外のＲＦも含む全てのＲＦのＲＦ選択順序を決定する（ステップＳ５３）。ＲＦ選択順序は、各ＲＦのセル負荷平均値が小さい順に決定する。ここでは、ＲＦ１，ＲＦ２，ＲＦ３，ＲＦ４の順番にセル負荷平均値が小さく、ＲＦ選択順序もこの順番に決定されるものとする。
【００４１】
そして、同一アンテナセルセットを１つ選択し（ステップＳ５４）、その中でセル負荷最小優先ＲＦ（ここでは、ＲＦ１）を用いるセルの有無を調べる（ステップＳ５５）。ここで、セル１１とセル１２との同一アンテナセルセットのセル１１のように、セル負荷最小優先ＲＦを用いるセルが存在する場合には、そのセル（セル１１）をＭＢＭＳ送信用セルとする（ステップＳ５６）。
【００４２】
一方、セル６３とセル６４との同一アンテナセルセットように、セル負荷最小優先ＲＦを用いるセルが存在しない場合には、ＲＦ選択順序に従ってセルを選択し、ＭＢＭＳ送信用セルとする（ステップＳ５７）。ＲＦ選択順序は、ＲＦ１，ＲＦ２，ＲＦ３，ＲＦ４の順番であるが、セル６３とセル６４との同一アンテナセルセットには、ＲＦ１とＲＦ２とを用いるセルが存在せず、その次のＲＦ３を用いるセル６３が存在するので、このセル６３が選択されてＭＢＭＳ送信用セルとなる。
【００４３】
全ての同一アンテナセルセットを選択したか否かを判定し（ステップＳ５８）、全てを選択していない場合には、ステップＳ５４から繰り返し、全てを選択した場合には、ＭＢＭＳ送信用セルの設定処理を終了する。
【００４４】
図５には、以上の処理によってＭＢＭＳ送信用セルとして設定されたセルを斜線を付けて示している。このようにして、ＲＮＣ７は、各々の同一アンテナセルセットについて、１つのセルをＭＢＭＳ送信用セルに設定し、ＭＢＭＳ送信用セルにおいて、共通チャネルＳＣＣＰＣＨを用いて複数の移動局に対してＭＢＭＳデータを送信する。
【００４５】
この実施例では、第１の実施例と同様に、より広い地域でＭＢＭＳのサービスを提供できるという効果がある。更に、ＲＦ３とＲＦ４とを用いる多くの小さなセルが建物内をカバーし、その建物内ではＲＦ１とＲＦ２とを用いる大きなセルにおけるＭＢＭＳデータを受信できない場合には、建物内のセルにおいてＭＢＭＳデータ送信を行うことができ、ＭＢＭＳのサービスをより多くの移動局に提供できるという利点もある。
【００４６】
次に、本発明による第３の実施例について説明する。先の第２の実施例では、各ＲＦのセル負荷平均値に基づいてＭＢＭＳ送信用セルを選択していたが、この第３の実施例では、各ＲＦの低セル負荷セル数に基づいてＭＢＭＳ送信用セルを選択し、その他の点は、第２の実施例と同じである。第２の実施例とは、ＭＢＭＳ送信用セルの設定処理を示すフローのみが異なるので、第３の実施例におけるＭＢＭＳ送信用セルの設定処理を示すフローを説明する。なお、この第３の実施例におけるＲＮＣ７の機能ブロックは図２のそれと同等である。
【００４７】
図７は、第３の実施例におけるＭＢＭＳ送信用セルの設定処理を示すフロー図である。図７を参照すると、ＲＮＣ７は、先ず、各ＲＦの低セル負荷セル数を計算する（ステップＳ６１）。ここで、低セル負荷セル数は、セル負荷が予め定められた所定値以下となっているセルの数である。
【００４８】
次に、優先ＲＦであるＲＦ１とＲＦ２とのなかから、計算された低セル負荷セル数が最大であるＲＦを、低セル負荷セル数最大の優先ＲＦとして選択する（ステップＳ６２）。ここでは、ＲＦ１が選ばれるものとする。更に、優先ＲＦ以外のＲＦも含む全てのＲＦのＲＦ選択順序を決定する（ステップＳ６３）。ＲＦ選択順序は、各ＲＦの低セル負荷セル数が大きい順に決定する。ここでは、ＲＦ１，ＲＦ２，ＲＦ３，ＲＦ４の順番に低セル負荷セル数が大きく、ＲＦ選択順序もこの順番に決定されるものとする。
【００４９】
そして、同一アンテナセルセットを１つ選択し（ステップＳ６４）、そのなかで低セル負荷セル数最大の優先ＲＦ（ここでは、ＲＦ１）を用いるセルの有無を調べる（ステップＳ６５）。ここで、セル１１とセル１２との同一アンテナセルセットのセル１１のように、低セル負荷セル数最大の優先ＲＦを用いるセルが存在する場合には、そのセル（セル１１）をＭＢＭＳ送信用セルとする（ステップＳ６６）。
【００５０】
一方、セル６３とセル６４との同一アンテナセルセットように、低セル負荷セル数最大の優先ＲＦを用いるセルが存在しない場合には、ＲＦ選択順序に従ってセルを選択し、ＭＢＭＳ送信用セルとする（ステップＳ６７）。ＲＦ選択順序は、ＲＦ１，ＲＦ２，ＲＦ３，ＲＦ４の順番であるが、セル６３とセル６４との同一アンテナセルセットには、ＲＦ１とＲＦ２とを用いるセルが存在せず、その次のＲＦ３を用いるセル６３が存在するので、このセル６３が選択されてＭＢＭＳ送信用セルとなる。
【００５１】
全ての同一アンテナセルセットを選択したか否かを判定し（ステップＳ６８）、全てを選択していない場合には、ステップＳ６４から繰り返し、全てを選択した場合には、ＭＢＭＳ送信用セルの設定処理を終了する。この実施例では、第２の実施例と同様に、より広い地域でＭＢＭＳのサービスを提供できるという効果がある。
【００５２】
なお、上記各実施例におけるＭＢＭＳデータ送信用セル設定処理の動作は、予めその動作手順をプログラムとしてＲＯＭなどの記録媒体に格納しておき、これをコンピュータ（ＣＰＵ）により読み取らせて実行させるように構成できることは明らかである。
【図面の簡単な説明】
【００５３】
【図１】セルラシステムの基本構成図である。
【図２】本発明の実施例におけるＲＮＣの機能ブロック図である。
【図３】第１の実施例における基地局、セル、無線周波数の配置を示す図である。
【図４】第１の実施例におけるＭＢＭＳ送信用セルの設定処理を示すフロー図である。
【図５】第２及び第３の実施例における基地局、セル、無線周波数の配置を示す図である。
【図６】第２の実施例におけるＭＢＭＳ送信用セルの設定処理を示すフロー図である。
【図７】第３の実施例におけるＭＢＭＳ送信用セルの設定処理を示すフロー図である。
【図８】従来技術におけるセルラシステムの基地局、セル、無線周波数の配置を示す図である。
【符号の説明】
【００５４】
１，２  基地局
３〜６  セル
７  ＲＮＣ（無線ネットワーク制御装置）
８〜１０  移動局
７０１  基地局との通信部
７０２  ＭＢＭＳデータ送信受付制御部
７０３  ＭＢＭＳデータ送信用セル設定処理部
７０４  ＭＢＭＳデータ送信部
７０５  制御部（ＣＰＵ）
７０６  メモリ
【図１】
2008211696.tif 000003
【図２】
2008211696.tif 000004
【図３】
2008211696.tif 000005
【図４】
2008211696.tif 000006
【図５】
2008211696.tif 000007
【図６】
2008211696.tif 000008
【図７】
2008211696.tif 000009
【図８】
2008211696.tif 000010